(57)【要約】      （修正有）【課題】投射型表示装置を設置する際に、吸気口および排気口と周囲の障害物との距離が適切であるかどうか確実かつ簡単に確認可能な、投射型表示装置を提供する。【解決手段】投射型画像表示装置の筐体は、光源８を含む発熱部分を冷却するために外気を取り込む吸気口６と、吸気口６から取り込まれた外気を排出する排気口７と、を備え、当該投射型画像表示装置は、吸気口６から筐体外の障害物４０までの距離を測定する吸気口側測距部５と、排気口７から筐体外の障害物５０までの距離を測定する排気口側測距部１２と、を備え、吸気口側測距部５が測定する距離が第１の所定の距離を下回る状態で第１の所定の時間が経過した場合、もしくは、排気口側測距部１２が測定する距離が第２の所定の距離を下回る状態で第２の所定の時間が経過した場合に、所定の動作を行う。【選択図】図１
2015114579.tif 000002
【特許請求の範囲】
【請求項１】
光源と、前記光源の光を変調して画像光を形成する光変調部と、前記画像光を投射する投射部と、を備える投射型画像表示装置であって、
当該投射型画像表示装置の筐体は、
前記光源を含む発熱部分を冷却するために外気を取り込む吸気口と、
前記吸気口から取り込まれた外気を排出する排気口と、
を備え、
当該投射型画像表示装置は、
前記吸気口から筐体外の障害物までの距離を測定する吸気口側測距部と、
前記排気口から筐体外の障害物までの距離を測定する排気口側測距部と、
を備え、
前記吸気口側測距部が測定する距離が第１の所定の距離を下回る状態で第１の所定の時間が経過した場合、もしくは、前記排気口側測距部が測定する距離が第２の所定の距離を下回る状態で第２の所定の時間が経過した場合に、所定の動作を行うことを特徴とする、
投射型画像表示装置。
【請求項２】
前記所定の動作とは、前記画像光として警告画像を出力する動作である、
請求項１に記載の投射型画像表示装置。
【請求項３】
前記所定の動作とは、警告音声を出力する動作である、
請求項１に記載の投射型画像表示装置。
【請求項４】
前記所定の動作とは、当該投射型画像表示装置の電源を遮断する動作である、
請求項１に記載の投射型画像表示装置。
【請求項５】
前記所定の動作とは、前記画像光として警告画像を出力する動作か、警告音声を出力する動作のうち、少なくとも一方の動作を行った後に、当該投射型画像表示装置の電源を遮断する動作である、
請求項１に記載の投射型画像表示装置。
【請求項６】
前記所定の動作とは、前記画像光として警告画像を出力する動作か、警告音声を出力する動作のうち、少なくとも一方の動作を行った後に、前記第１の所定の時間経過後、前記吸気口側測距部が測定する距離が前記第１の所定の距離を下回る状態で第３の所定の時間が経過した場合、もしくは、前記第２の所定の時間経過後、前記排気口側測距部が測定する距離が前記第２の所定の距離を下回る状態で第４の所定の時間が経過した場合にのみ、当該投射型画像表示装置の電源を遮断する動作である、
請求項１に記載の投射型画像表示装置。
【請求項７】
前記吸気口と前記排気口とが前記筐体の同一面に設けられる場合は、前記吸気口側測距部と前記排気口側測距部とは、共通の共通測距部として、前記筐体の前記吸気口および前記排気口が設けられる面に設けられることを特徴とする、
請求項１から請求項６のいずれか一項に記載の投射型画像表示装置。
【発明の詳細な説明】
【技術分野】
【０００１】
本発明は投射型画像表示装置に関し、特に筐体内部を空冷により冷却する投射型画像表示装置に関する。
【背景技術】
【０００２】
投射型画像表示装置においては、市場の要望を受けて年々高輝度化および高解像度化が進んでいる。高輝度化が進む中、光源の消費電力および発熱量は増加傾向にある。また高、解像度化が進むことで、電源、信号処理を行う電子基板類などからの発熱量も増加傾向にある。このような発熱量の増大を受けて、故障・不具合の発生防止という製品信頼性の観点、および製品内部からの発煙・発火防止という製品安全性の観点から、冷却機能の重要性が高まっている。
【０００３】
投射型画像表示装置の光源として、例えば高圧水銀ランプを利用する場合、ランプの発光部温度は９００〜１０００℃の高温になる。この熱を筐体外へ排出できず、内部に滞留させると他の部品の破壊、あるいは樹脂成型品であれば溶融などの重大事象を引き起こしかねない。最悪の場合、発煙あるいは発火に至る可能性も否定できない。従って、筐体外への熱排出は極めて重要である。そのため、ほぼ全ての投射型画像表示装置において各種様々なファンを用いて強制空冷を行っている。吸排気が阻害された場合、結果として機器筐体内部での熱滞留を引き起こす。従って、特に吸気口および排気口と近傍の障害物との間に十分な距離を空けるように留意して、投射型画像表示装置の設置を行う必要がある。
【０００４】
しかし、前述した発熱量の増大が進んでいく一方で、機器の設置姿勢の多様化もまた市場の要望を受けて進んでいる。従来は、机上への設置もしくは天井から吊り下げる設置が主流であったが、特に高輝度・常設型の高級機を中心に、垂直上向き、垂直下向き投射なども含めた３６０度投射対応へと変化してきている。
【０００５】
この設置姿勢の多様化によって、従来では想定されなかった設置姿勢において吸排気を阻害される可能性が高まっている。例えば、従来であれば機器背面に排気口を設ければ机上設置、天井吊り下げ設置共に問題なかった。一方、３６０度投射対応の場合では、天井から垂直下向きに投射する際に背面の排気口に対して天井が障害物になる。このように天井、床、壁面など従来では問題となり難かったものが吸排気を妨げる障害物となる可能性が高まってきている。
【０００６】
特許文献１および特許文献２においては、投射型画像表示装置からスクリーンまでの距離を測定することにより、測定した距離情報をフォーカス調整や歪み補正などの調整に利用している。
【先行技術文献】
【特許文献】
【０００７】
【特許文献１】特開２００５−１２１９４１号公報
【特許文献２】特開２００７−３２４６４３号公報
【発明の概要】
【発明が解決しようとする課題】
【０００８】
設置作業の度に吸気口および排気口と付近の障害物との間隔を確認するというのは手間がかかる。また、高い天井に設置している場合などは高所作業ということもあり、確認作業自体が困難なケースも存在する。さらに、設置作業の際に確認作業を忘れる可能性もあり得る。そのため、吸気口および排気口と近傍の障害物との間隔が適切であるか、確実かつ容易に確認できる方法が望まれている。
【０００９】
特許文献１および特許文献２が開示する技術においては、測距手段を用いて距離を測定する手法が発明されている。しかし、これらは、投射映像のフォーカス調整や歪み補正などの調整を簡略化することを目的として、スクリーンと機器の間の距離を測定するものである。つまり、機器設置時に吸気口もしくは排気口が妨げられたまま設置される可能性については効果が無いままで、課題として残っていた。
【００１０】
本発明は以上のような課題を解決するためになされたものであり、投射型表示装置を設置する際に、吸気口および排気口と周囲の障害物との距離が適切であるかどうか確実かつ簡単に確認可能な、投射型表示装置の提供を目的とする。
【課題を解決するための手段】
【００１１】
本発明に係る投射型画像表示装置は、光源と、光源の光を変調して画像光を形成する光変調部と、画像光を投射する投射部と、を備える投射型画像表示装置であって、投射型画像表示装置の筐体は、光源を含む発熱部分を冷却するために外気を取り込む吸気口と、吸気口から取り込まれた外気を排出する排気口と、を備え、投射型画像表示装置は、吸気口から筐体外の障害物までの距離を測定する吸気口側測距部と、排気口から筐体外の障害物までの距離を測定する排気口側測距部と、を備え、吸気口側測距部が測定する距離が第１の所定の距離を下回る状態で第１の所定の時間が経過した場合、もしくは、排気口側測距部が測定する距離が第２の所定の距離を下回る状態で第２の所定の時間が経過した場合に、所定の動作を行うことを特徴とする。
【発明の効果】
【００１２】
本発明に係る投射型画像表示装置において、吸気口もしくは排気口が障害物に遮られた状態で動作を行うと、光源を含む発熱部分の冷却が適切に行われず、投射型画像表示装置の動作に支障をきたす恐れがある。そこで、本発明に係る投射型画像表示装置は、吸気口もしくは排気口が障害物に遮られた状態で所定の時間が経過した場合は、所定の動作として、使用者に対して警告を発する動作を行う。これにより、使用者に対して、障害物の撤去、投射型画像表示装置の設置環境の変更などの必要な措置を促すことができる。
【００１３】
さらに、本実施の形態における投射型画像表示装置において、警告通知の動作に関わる部分（吸気口側測距部、排気口側測距部、時間計測部、警告通知部）を機器と一体に設けることで、設置作業時に別途何らかの測定機器等を準備する手間が不要である。また、高所に投射型画像表示装置を設置する場合であっても、設置後に人が高所作業を行うこと無く吸気口および排気口と障害物との間隔確認ができるため、作業者の安全確保にも貢献できる。さらに、投射型画像表示装置の電源がオンされている状態において、警告を通知する機能が必ず稼動するようにすれば、吸気口および排気口が障害物に阻害された状態のままで、使用者が投射型画像表示装置を使い続ける可能性を排除することが可能である。
【図面の簡単な説明】
【００１４】
【図１】実施の形態１に係る投射型画像表示装置の機能ブロック図である。
【図２】実施の形態１に係る投射型画像表示装置の吸気口側に関連する動作を示すフローチャートである。
【図３】実施の形態１に係る投射型画像表示装置の排気口側に関連する動作を示すフローチャートである。
【図４】実施の形態２に係る投射型画像表示装置の機能ブロック図である。
【図５】実施の形態３に係る投射型画像表示装置の機能ブロック図である。
【図６】実施の形態４に係る投射型画像表示装置の機能ブロック図である。
【発明を実施するための形態】
【００１５】
＜実施の形態１＞
＜構成＞
図１は、本実施の形態における投射型画像表示装置の機能ブロック図である。まず、本実施の形態における投射型画像表示装置における本来の画像投射機能について説明する。投射型画像表示装置は、画像光の光源８と、光源から射出される光を変調して画像光を形成する光変調部９と、光変調部９で形成された画像光を外部のスクリーンに投射する投射部１０を備える。また、投射型画像表示装置は、音声を出力する音声出力部１１を備える。上述した光変調部９、投射部１０および音声出力部１１の動作は制御部１により制御される。なお、図１には図示されないが、光源８は光源ドライブ基板により駆動される。
【００１６】
ここで、光源８とは例えば水銀ランプ、レーザーなどである。光変調部９は、例えば液晶パネル、ＤＭＤ（ｄｉｇｉｔａｌ  ｍｉｒｒｏｒ  ｄｅｖｉｃｅ）などである。また、投射部１０は、投射レンズ、画像光のフォーカスを調整するための機構、画像光の歪みを補正するための機構などを備える。
【００１７】
また、本実施の形態における投射型画像表示装置の筐体には、光源８を含む発熱部分を冷却するために外気を取り込む吸気口６と、吸気口６から取り込まれた外気を排出する排気口７とを備える。なお、本実施の形態において、吸気口６と排気口７のそれぞれは、筐体の異なる面に設けられている。また、吸気口６と排気口７の少なくとも一方には、空気を強制的に循環させるためのファン（図示せず）が取り付けられている。
【００１８】
本実施の形態における投射型画像表示装置は、さらに、吸気口側測距部５と、排気口側測距部１２とを備える。吸気口側測距部５は、例えば赤外線センサである。この赤外線センサは吸気口６と同じ面に取り付けられている。同様に、排気口側測距部１２は、例えば赤外線センサである。この赤外線センサは排気口７と同じ面に取り付けられている。吸気口側測距部５は、吸気口６から筐体外部の障害物４０までの距離（この距離をＤ１と定義する）を測定して制御部１に伝達する。同様に、排気口側測距部１２は、排気口７から筐体外部の障害物５０までの距離（この距離をＤ２と定義する）を測定して、制御部１に伝達する。
【００１９】
本実施の形態における投射型画像表示装置はさらに、時間計測部４を備える。後述するように、時間計測部４は制御部１の制御に従って、後述する時間Ｔ１および時間Ｔ２の計測を行う。
【００２０】
本実施の形態における投射型画像表示装置はさらに、警告通知部３を備える。警告通知部３は警告画像通知部３１を備える。警告画像通知部３１には、後述する警告画像が記憶されている。なお、上述した各ブロックには電源部２から電源が供給されている。
【００２１】
＜動作＞
図２と図３は、本実施の形態における投射型画像表示装置の吸気口６側、排気口７側のそれぞれに関連する動作を示すフローチャートである。なお、以下で説明する動作は、スタンバイ状態、通常状態に関わらず行われる動作である。ここで、スタンバイ状態とは、画像光の投射が行われていない状態である。スタンバイ状態において、電源部２は一部のブロック（即ち、図１の制御部１、吸気口側測距部５、排気口側測距部１２、時間計測部４）に電源を供給している状態である。また、通常状態とは、画像光の投射が行われている状態である。通常状態において、電源部２は図１の全てのブロックに電源を供給する。
【００２２】
＜吸気口側の動作＞
図２のフローチャートを用いて、吸気口６側に関連する動作について説明する。最初に、使用者により電源部２がオンされる（ステップＳ１０１）。すると、吸気口側測距部５は、吸気口６から障害物４０までの距離Ｄ１を測定して、距離情報を制御部１に通知する（Ｓ１０２）。つまり、制御部１は距離情報を吸気口側測距部５から取得する。
【００２３】
次に、制御部１は、Ｄ１が第１の所定の距離Ｄｔｈよりも小さいかどうかの判定を行う（Ｓ１０３）。ここで、第１の所定の距離Ｄｔｈとは予め設定された距離の閾値である。吸気口６から障害物４０までの距離Ｄ１がＤｔｈ以上である場合、吸気口６付近には十分な空間が確保されていることを意味する。一方、Ｄ１がＤｔｈより小さい場合、吸気口６が障害物４０により遮られていることを意味する。
【００２４】
ステップＳ１０３においてＤ１＜Ｄｔｈでない場合はステップＳ１０２に戻り、再び距離Ｄ１の測定を行う。一方、ステップＳ１０３においてＤ１＜Ｄｔｈである場合はステップＳ１０４に進む。
【００２５】
ステップＳ１０４において、制御部１は、時間計測部４に時間Ｔ１の計測開始を命令する制御信号を出力する。これを受けて、時間計測部４は時間Ｔ１の計測を開始する。
【００２６】
次に、吸気口側測距部５は、吸気口６から障害物４０までの距離Ｄ１を測定する（ステップＳ１０５）。そして、制御部１は距離Ｄ１の情報を吸気口側測距部５から取得して、Ｄ１がＤｔｈよりも小さいかどうかの判定を行う（ステップＳ１０６）。
【００２７】
ステップＳ１０６において、Ｄ１＜Ｄｔｈでない場合は、吸気口６が障害物４０によって遮られた状態を脱したことを意味する。この場合、制御部１は時間計測部４を制御して時間Ｔ１の計測を終了する（ステップＳ１０７）。そして、ステップＳ１０２に戻る。一方、ステップＳ１０６において、Ｄ１＜Ｄｔｈである場合は、依然として吸気口６が障害物４０によって遮られていることを意味する。この場合、ステップＳ１０８に進む。
【００２８】
ステップＳ１０８において、制御部１は時間計測部４から時間Ｔ１を取得し、Ｔ１が第１の所定の時間Ｔｔｈよりも大きいかどうかの判定を行う。ここで、第１の所定の時間Ｔｔｈとは予め設定された時間の閾値である。吸気口６が障害物４０により遮られた状態（即ちＤ１＜Ｄｔｈの状態）で時間Ｔｔｈが経過すると、吸気が十分に行われないために、投射型画像表示装置の筐体内部の冷却が不十分となり、投射型画像表示装置の動作に支障をきたす可能性がある。
【００２９】
ステップＳ１０８においてＴ１＞Ｔｔｈである場合、ステップＳ１０９において、投射型画像表示装置は、所定の動作として警告画像の投射を行う。つまり、ステップＳ１０９において制御部１は警告通知部３に警告の要求を行う。すると、警告通知部３は警告画像通知部３１に記憶されている警告画像を制御部１に送信する。そして、制御部１は光源８、光変調部９、投射部１０などを制御して警告画像を画像光として投射する。一方、ステップＳ１０８においてＴ１＞Ｔｔｈでない場合はステップＳ１０５に戻る。なお、ステップＳ１０９において投射型画像表示装置がスタンバイ状態である場合は、制御部１は電源部２を制御して、投射型画像表示装置を通常状態に切り替えてから、警告画像の画像光の投射を行う。
【００３０】
ここで、警告画像とは、吸気口６と障害物４０との距離が近すぎることを使用者に視覚的に認識させるための画像である。警告画像が投射されることにより、使用者は、警告画像を視認して、吸気口６と障害物４０との距離をより大きくするように投射型画像表示装置の設置位置を調整したり、障害物４０を撤去したりする。
【００３１】
なお、距離の閾値Ｄｔｈおよび時間の閾値Ｔｔｈは任意の値に設定、変更可能であり、これら閾値は、制御部１の内部に保有されている。また、これら閾値は制御部１の外部に設けられたメモリ等の記憶手段（図示せず）が保有してもよい。
【００３２】
＜排気口側の動作＞
次に、図３のフローチャートを用いて、排気口７側に関連する動作について説明する。最初に、使用者により電源部２がオンされる（ステップＳ２０１）。すると、排気口側測距部１２は、排気口７から障害物５０までの距離Ｄ２を測定して、距離情報を制御部１に通知する（Ｓ２０２）。つまり、制御部１は距離情報を排気口側測距部１２から取得する。
【００３３】
次に、制御部１は、Ｄ２がＤｔｈよりも小さいかどうかの判定を行う（Ｓ２０３）。排気口７から障害物５０までの距離Ｄ２がＤｔｈ以上である場合、排気口７付近には十分な空間が確保されていることを意味する。一方、Ｄ２がＤｔｈより小さい場合、排気口７が障害物５０により遮られていることを意味する。
【００３４】
ステップＳ２０３においてＤ２＜Ｄｔｈでない場合はステップＳ２０２に戻り、再び距離Ｄ２の測定を行う。一方、ステップＳ２０３においてＤ２＜Ｄｔｈである場合はステップＳ２０４に進む。
【００３５】
ステップＳ２０４において、制御部１は、時間計測部４に時間Ｔ２の計測開始を命令する制御信号を出力する。これを受けて、時間計測部４は時間Ｔ２の計測を開始する。
【００３６】
次に、排気口側測距部１２は、排気口７から障害物５０までの距離Ｄ２を測定する（ステップＳ２０５）。そして、制御部１は距離Ｄ２の情報を排気口側測距部１２から取得して、Ｄ２が第２の所定の距離よりも小さいかどうかの判定を行う（ステップＳ２０６）。本実施の形態においては、第２の所定の距離は、第１の所定の距離と同じＤｔｈであるとする。
【００３７】
ステップＳ２０６において、Ｄ２＜Ｄｔｈでない場合は、排気口７が障害物５０によって遮られた状態を脱したことを意味する。この場合、制御部１は時間計測部４を制御して時間Ｔ２の計測を終了する（ステップＳ２０７）。そして、ステップＳ２０２に戻る。一方、ステップＳ２０６において、Ｄ２＜Ｄｔｈである場合は、依然として排気口７が障害物５０によって遮られていることを意味する。この場合、ステップＳ２０８に進む。
【００３８】
ステップＳ２０８において、制御部１は時間計測部４から時間Ｔ２を取得し、Ｔ２が第２の所定の時間よりも大きいかどうかの判定を行う。なお、本実施の形態では、第２の所定の時間は、第１の所定の時間と同じＴｔｈであるとする。排気口７が障害物５０により遮られた状態（即ちＤ２＜Ｄｔｈの状態）で時間Ｔｔｈが経過すると、排気が十分に行われないために、投射型画像表示装置の筐体内部の冷却が不十分となり、投射型画像表示装置の動作に支障をきたす可能性がある。
【００３９】
ステップＳ２０８においてＴ２＞Ｔｔｈである場合、ステップＳ２０９において、投射型画像表示装置は、所定の動作として警告画像の投射を行う。つまり、制御部１は警告通知部３に警告の要求を行う。すると、警告通知部３は警告画像通知部３１が保有する警告画像の画像データを制御部１に送信する。そして、制御部１は警告画像の画像データを光変調部９に送り、投射部１０から警告画像を画像光として出力する。一方、ステップＳ２０８においてＴ２＞Ｔｔｈでない場合はステップＳ２０５に戻る。なお、ステップＳ２０９において投射型画像表示装置がスタンバイ状態である場合は、制御部１は電源部２を制御して、投射型画像表示装置を通常状態に切り替えてから、警告画像の画像光の投射を行う。
【００４０】
ここで、警告画像とは、排気口７と障害物５０との距離が近すぎることを使用者に視覚的に認識させるための画像である。警告画像が投射されることにより、使用者は、警告画像を視認して、排気口７と障害物５０との距離をより大きくするように投射型画像表示装置の設置位置を調整したり、障害物５０を撤去したりする。
【００４１】
なお、以上の説明において、吸気口６側の動作および排気口７側の動作において、第１の所定の距離と第２の所定の距離を共にＤｔｈとしたが、第１の所定の距離と第２の所定の距離は異なる値としてもよい。同様に、吸気口６側の動作および排気口７側の動作において、第１の所定の時間と第２の所定の時間を共にＴｔｈとしたが、第１の所定の時間と第２の所定の時間は異なる値としてもよい。
【００４２】
なお、本実施の形態において、吸気口６と排気口７は筐体の異なる面に設けられているとしたが、吸気口６と排気口７は筐体の同一面に設けられていてもよい。この場合、吸気口側測距部５と排気口側測距部１２とは、共通の共通測距部として、筐体の吸気口６および排気口７が設けられる面に設けられる。共通測距部の動作は、吸気口側測距部５もしくは排気口側測距部１２の動作と同じである。
【００４３】
＜効果＞
本実施の形態における投射型画像表示装置は、光源８と、光源８の光を変調して画像光を形成する光変調部９と、画像光を投射する投射部１０と、を備える投射型画像表示装置であって、投射型画像表示装置の筐体は、光源８を含む発熱部分を冷却するために外気を取り込む吸気口６と、吸気口６から取り込まれた外気を排出する排気口７と、を備え、当該投射型画像表示装置は、吸気口６から筐体外の障害物４０までの距離を測定する吸気口側測距部５と、排気口７から筐体外の障害物５０までの距離を測定する排気口側測距部１２と、を備え、吸気口側測距部５が測定する距離が第１の所定の距離を下回る状態で第１の所定の時間が経過した場合、もしくは、排気口側測距部１２が測定する距離が第２の所定の距離を下回る状態で第２の所定の時間が経過した場合に、所定の動作を行うことを特徴とする。
【００４４】
従って、本実施の形態における投射型画像表示装置において、吸気口６もしくは排気口７が障害物４０，５０に遮られた状態で動作を行うと、光源８を含む発熱部分の冷却が適切に行われず、投射型画像表示装置の動作に支障をきたす恐れがある。そこで、吸気口６もしくは排気口７が障害物に遮られた状態で所定の時間が経過した場合は、所定の動作として、使用者に対して警告を発する動作を行う。これにより、使用者に対して、障害物４０，５０の撤去、投射型画像表示装置の設置環境の変更などの必要な措置を促すことができる。
【００４５】
さらに、本実施の形態における投射型画像表示装置において、警告通知の動作に関わる部分（吸気口側測距部５、排気口側測距部１２、時間計測部４、警告通知部３）を機器と一体に設けることで、設置作業時に別途何らかの測定機器等を準備する手間が不要である。また、高所に投射型画像表示装置を設置する場合であっても、設置後に人が高所作業を行うこと無く吸気口６および排気口７と障害物との間隔確認ができるため、作業者の安全確保にも貢献できる。さらに、投射型画像表示装置の電源がオンされている状態において、警告を通知する機能が必ず稼動するようにすれば、吸気口６および排気口７が障害物に阻害された状態のままで、使用者が投射型画像表示装置を使い続ける可能性を排除することが可能である。
【００４６】
また、本実施の形態における投射型画像表示装置において、所定の動作とは、画像光として警告画像を出力する動作である。
【００４７】
従って、吸気口６または排気口７の少なくとも一方が障害物などで遮られて正常な冷却が行えない場合は、警告画像を投射して使用者に視覚的な警告を発する。これにより、使用者に吸気口６または排気口７を遮る障害物４０，５０の存在を知らせることができる。警告を受けた使用者は、障害物４０，５０の撤去、投射型画像表示装置の設置環境の変更などの必要な措置を取ることができる。
【００４８】
また、本実施の形態における投射型画像表示装置において、吸気口６と排気口７とが筐体の同一面に設けられる場合は、吸気口側測距部５と排気口側測距部１２とは、共通の共通測距部として、筐体の吸気口６および排気口７が設けられる面に設けられることを特徴とする。
【００４９】
従って、吸気口６と排気口７とが筐体の同一面に設けられる場合は、１つの共通測距部を吸気口６および排気口７が設けられる面に設けることにより、吸気口側測距部５と排気口側測距部１２とを兼ねることが可能である。
【００５０】
＜実施の形態２＞
＜構成＞
図４は、本実施の形態における投射型画像表示装置の機能ブロック図である。本実施の形態における投射型画像表示装置の警告通知部３は、実施の形態１（図１）の警告画像通知部３１に替えて、警告音声通知部３２を備える。警告音声通知部３２には後述する警告音声の音声データが記憶されている。その他の構成は実施の形態１（図１）と同じため、説明を省略する。
【００５１】
＜動作＞
実施の形態１で用いたフローチャート（図２および図３）を用いて、本実施の形態における投射型画像表示装置の動作を説明する。実施の形態１では、図２のステップＳ１０９および図３のステップＳ２０９において警告画像を投射した。本実施の形態では、ステップＳ１０９およびＳ２０９において、警告画像を投射する替わりに、所定の動作として、警告音声を出力する。つまり、上記ステップＳ１０９，Ｓ２０９において、制御部１は警告通知部３に警告の要求を行う。すると、警告通知部３は、警告音声通知部３２が保有している警告音声の音声データを制御部１に送信する。そして、制御部１は警告音声の音声データを音声出力部１１に出力する。音声出力部１１は例えばスピーカであり、スピーカから使用者に対して警告音声が出力される。
【００５２】
警告音声とは、例えば、図２のステップＳ１０９においては「吸気口が遮られています」という音声である。また、図３のステップＳ２０９においては「排気口が遮られています」という音声である。なお、警告音（例えばビープ音）を音声に組み合わせて使用者の注意を喚起してもよい。その他の動作は実施の形態１（図２および図３のフローチャート）と同じため、説明を省略する。
【００５３】
＜効果＞
本実施の形態における投射型画像表示装置において、所定の動作とは、警告音声を出力する動作である。
【００５４】
従って、吸気口６または排気口７の少なくとも一方が障害物などで遮られて正常な冷却が行えない場合は、警告音声を出力して使用者に対して音声で警告を発する。これにより、使用者が投射画像を見ていない場合であっても、使用者に、吸気口６または排気口７を遮る障害物４０，５０の存在を知らせることができる。警告を受けた使用者は、障害物４０，５０の撤去や設置環境の変更などの必要な措置を取ることができる。
【００５５】
＜実施の形態３＞
図５は、本実施の形態における投射型画像表示装置の機能ブロック図である。本実施の形態における投射型画像表示装置の警告通知部３は、実施の形態１（図１）の警告画像通知部３１に替えて、電源遮断部３３を備える。その他の構成は実施の形態１（図１）と同じため、説明を省略する。
【００５６】
＜動作＞
実施の形態１で用いたフローチャート（図２および図３）を用いて、本実施の形態における投射型画像表示装置の動作を説明する。実施の形態１では、図２のステップＳ１０９および図３のステップＳ２０９において警告画像を投射した。本実施の形態では、図２のステップＳ１０９および図２のステップＳ２０９において、警告画像を投射する替わりに、所定の動作として、電源を遮断する。つまり、上記ステップＳ１０９，Ｓ２０９において、制御部１は警告通知部３に警告の要求を行う。すると、警告通知部３に備わる電源遮断部３３は、直接、またはスイッチなどを介して間接的に電源部２をオフする。即ち投射型画像表示装置の電源を遮断する。その他の動作は実施の形態１（図２および図３のフローチャート）と同じため、説明を省略する。
【００５７】
＜効果＞
本実施の形態における投射型画像表示装置において、所定の動作とは、当該投射型画像表示装置の電源を遮断する動作である。
【００５８】
従って、吸気口６または排気口７の少なくとも一方が障害物などで遮られて正常な冷却が行えない場合は、電源遮断部３３が電源の遮断を行う。これにより、吸排気が阻害されたまま投射型画像表示装置が動作し続けるという好ましくない状態を回避可能となり、投射型画像表示装置を内部の発熱から保護することが可能である。また、電源が自動的に遮断されることにより、使用者は、正常な冷却が行われていないことを認識して、吸排気を阻害する障害物４０，５０の撤去や設置環境の変更などの必要な措置を取ることができる。
【００５９】
＜実施の形態４＞
＜構成＞
図６は、本実施の形態における投射型画像表示装置の機能ブロック図である。本実施の形態における投射型画像表示装置の警告通知部３は、実施の形態１（図１）で説明した警告画像通知部３１と、実施の形態３（図５）で説明した電源遮断部３３とを備える。その他の構成は実施の形態１（図１）もしくは実施の形態３（図５）と同じため、説明を省略する。
【００６０】
＜動作＞
実施の形態１で用いたフローチャート（図２および図３）を用いて、本実施の形態における投射型画像表示装置の動作を説明する。実施の形態１では、図２のステップＳ１０９および図３のステップＳ２０９において警告画像を投射した。本実施の形態では、図２のステップＳ１０９および図２のステップＳ２０９において、所定の動作として、警告画像を投射した後に電源の遮断を行う。電源の遮断動作については、実施の形態３で述べた通りである。その他の動作は実施の形態１（図２および図３のフローチャート）と同じため、説明を省略する。
【００６１】
なお、本実施の形態において、警告画像を投射した後、第１の所定の時間（即ちＴｔｈ）経過後、吸気口側測距部５が測定する距離が第１の所定の距離（即ちＤｔｈ）を下回る状態で第３の所定の時間（例えば３分）が経過した場合、もしくは、第２の所定の時間（即ちＴｔｈ）経過後、排気口側測距部１２が測定する距離が第２の所定の距離（即ちＤｔｈ）を下回る状態で第４の所定の時間（例えば３分）が経過した場合にのみ、投射型画像表示装置の電源を遮断してもよい。つまり、第３もしくは第４の所定の時間が経過しても吸気口６もしくは排気口７が遮られた状態が改善されない場合にのみ電源が遮断される。この場合、警告を受けた使用者が、第３もしくは第４の所定の時間内に、吸気口６もしくは排気口７が遮られた状態を改善すれば電源の遮断は行われないため、使用者にとって使い勝手が良い。
【００６２】
なお、本実施の形態における投射型画像表示装置において、警告通知部３は、警告音声通知部３２をさらに備える構成としてもよい。この場合、上述した動作において、警告画像の投射とともに、警告音声の出力を行う。
【００６３】
また、本実施の形態における投射型画像表示装置において、警告通知部３は、警告画像通知部３１の替わりに警告音声通知部３２を備える構成としてもよい。この場合、上述した動作において、警告画像の投射に替えて警告音声の出力を行う。
【００６４】
＜効果＞
本実施の形態における投射型画像表示装置において、所定の動作とは、画像光として警告画像を出力する動作か、警告音声を出力する動作のうち、少なくとも一方の動作を行った後に、当該投射型画像表示装置の電源を遮断する動作である。
【００６５】
従って、吸気口６または排気口７の少なくとも一方が障害物などで遮られて正常な冷却が行えない場合は、警告画像の投射か、警告音声の出力の少なくともどちらか一方を行うことにより、使用者に警告を発する。これにより、使用者に吸気口６または排気口７を遮る障害物４０，５０の存在を知らせることができる。警告を受けた使用者は、障害物４０，５０の撤去、投射型画像表示装置の設置環境の変更などの必要な措置を取ることができる。さらに、本実施の形態では、警告画像もしくは警告音声による警告に加えて電源の遮断を行うことにより、投射型画像表示装置を内部の発熱から保護することが可能である。
【００６６】
また、本実施の形態における投射型画像表示装置において、所定の動作とは、画像光として警告画像を出力する動作か、警告音声を出力する動作のうち、少なくとも一方の動作を行った後に、第１の所定の時間経過後、吸気口側測距部５が測定する距離が第１の所定の距離を下回る状態で第３の所定の時間が経過した場合、もしくは、第２の所定の時間経過後、排気口側測距部１２が測定する距離が第２の所定の距離を下回る状態で第４の所定の時間が経過した場合にのみ、投射型画像表示装置の電源を遮断する動作である。
【００６７】
従って、警告を受けた使用者が、第３もしくは第４の所定の時間内に、吸気口６もしくは排気口７が遮られた状態を改善すれば電源の遮断は行われないため、使用者が再び電源をオンする必要がなく、使用者にとって使い勝手が良い。
【００６８】
なお、本発明は、その発明の範囲内において、各実施の形態を自由に組み合わせたり、各実施の形態を適宜、変形、省略することが可能である。
【符号の説明】
【００６９】
１  制御部、２  電源部、３  警告通知部、４  時間計測部、５  吸気口側測距部、６  吸気口、７  排気口、８  光源、９  光変調部、１０  投射部、１１  音声出力部、１２  排気口側測距部、３１  警告画像通知部、３２  警告音声通知部、３３  電源遮断部、４０，５０  障害物。
【図１】
2015114579.tif 000003
【図２】
2015114579.tif 000004
【図３】
2015114579.tif 000005
【図４】
2015114579.tif 000006
【図５】
2015114579.tif 000007
【図６】
2015114579.tif 000008